(57)【特許請求の範囲】
【請求項１】
少なくとも２つのセンシングモードを有するセンサ部と、
前記センサ部でセンシングされた信号に対応するセンシングデータを他の端末に無線で送信するとともに、前記他の端末から送信される制御データを受信する無線通信部と、
前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードではセンシングデータを他の端末に無線で送信せず、前記第１のモードから前記第２のモードへの移行の要否については、前記センサ部でセンシングされた前記センシングデータに基づいて判定するとともに、前記第２のモードではセンシングデータを他の端末に無線で送信し、前記第２のモードから前記第１のモードへの移行の要否については、前記無線通信部が受信した前記制御データに基づいて判定する制御部と、
を有し、
前記制御部は、前記第１のモードから前記第２のモードへ移行すると判定した場合、前記無線通信部を制御して前記他の端末との前記第２のモードによる通信動作を起動させるための信号を当該他の端末に直ちに送信する
ことを特徴とするセンシング無線端末。
【請求項２】
センサ部を有するセンシング無線端末のセンシング方法であって、
相対的にセンシング間隔が長いモードを第１のモードと定義し、相対的にセンシング間隔が短いモードを第２のモードと定義するとき、前記センサ部で、第１のモード又は第２のモードでセンシングするステップと、
前記センサ部でセンシングされた信号に対応するセンシングデータを他の端末に無線で送信するとともに、前記他の端末から無線で送信される制御データを無線で受信するステップと、
前記第１のモードではセンシングデータを他の端末に無線で送信せず、前記第１のモードから前記第２のモードへの移行の要否については、前記センサ部でセンシングされた前記センシングデータに基づいて判定するとともに、前記第２のモードではセンシングデータを他の端末に無線で送信し、前記第２のモードから前記第１のモードへの移行の要否については、前記受信した前記制御データに基づいて判定するステップであって、前記第１のモードから前記第２のモードへ移行すると判定した場合、前記他の端末との前記第２のモードによる通信動作を起動させるための信号を当該他の端末に直ちに送信するステップと、
を含むことを特徴とするセンシング無線端末のセンシング方法。
【請求項３】
センシング無線端末と、このセンシング無線端末からセンシングデータを受信する他の端末と、を有するセンシングシステムであって、
前記センシング無線端末は、
少なくとも２つのセンシングモードを有するセンサ部と、
前記センサ部でセンシングされた信号に対応するセンシングデータを前記他の端末に無線で送信するとともに、前記他の端末から送信される制御データを受信する第１無線通信部と、
前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードではセンシングデータを他の端末に無線で送信せず、前記第１のモードから前記第２のモードへの移行の要否については、前記センサ部でセンシングされた前記信号センシングデータに基づいて判定するとともに、前記第２のモードではセンシングデータを他の端末に無線で送信し、前記第２のモードから前記第１のモードへの移行の要否については、前記第２１無線通信部が受信した前記制御データに基づいて判定する制御部と、
を有し、
前記制御部は、前記第１のモードから前記第２のモードへ移行すると判定した場合、前記第１無線通信部を制御して前記他の端末との前記第２のモードによる通信動作を起動させるための信号を当該他の端末に直ちに送信し、
前記他の端末は、
前記センシングデータを前記センシング端末から無線で受信するとともに、前記制御データを前記センシング端末に送信する第２無線通信部と、
前記センシング端末から送信される前記第２のモードによる通信動作を起動させるための信号を受信する検出部と
を有することを特徴とするセンシングシステム。
【発明の詳細な説明】
【技術分野】
【０００１】
本発明は、センシング無線端末、センシング方法およびセンシングシステムに関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている。このような用途では、生体データを転送するために端末と蓄積装置との間を有線ケーブルでつなぐと行動の自由が制限されてしまうため、無線通信で生体データを転送するようにし、さらに、端末を電池で駆動させるようにし、端末を自由に持ち歩くことができるようにすることが望ましい。このようなニーズは、医療分野、特に植込み型医療機器（ＩＭＤ、Ｉｍｐｌａｎｔａｂｌｅ  Ｍｅｄｉｃａｌ  Ｄｅｖｉｃｅｓ）ではより大きい。
【０００３】
また、植込み型医療機器は、一般に電力を電池から得て動作する。従って、電池が消耗し電圧が低下した場合には電池交換が必要となる。植込み型医療機器の電池交換には手術が必要であり、患者への負担が大きく感染症等の副作用も発生するため、電池の消耗は極力避けたいとの要望がある。
【０００４】
また、植込み型医療機器は、一般的にセンサが緊急情報を検出し、検出した緊急情報の緊急度に応じて緊急内容の伝達先や伝達方法を変更する。また、植込み型医療機器は、センサが緊急情報を検出した場合、その後、生体データを蓄積装置に転送し続けていた。この場合、電池の消費が激しいため、生体データを転送し続ける動作モードと、生体データの転送を停止する動作モードとの２つのモードを切り換える植込み型医療機器が知られている（例えば、特許文献１参照）。
【先行技術文献】
【特許文献】
【０００５】
【特許文献１】特開２００２−１０２３６２号公報
【発明の概要】
【発明が解決しようとする課題】
【０００６】
しかしながら、特許文献１に記載されている技術では、生体データを転送し続ける動作モードから、生体データの転送を停止する動作モードに切り換える判定と、生体データの転送を停止する動作モードから、生体データを転送し続ける動作モードに切り換える判定とのどちらの判定も、植込み型医療機器側で行うか、蓄積装置側で行うかのどちらか一方が行っている。
【０００７】
そのため、動作モードの切り換え判定を植込み型医療機器側で行う場合には、植込み型医療機器が備える電池の消耗が早くなるという問題がある。また、動作モードの切り換え判定を蓄積装置側で行う場合には、植込み型医療機器から生体データを受信した後に動作モードの切り替え判定を行うため、緊急時に機を逃してしまう可能性があるという問題がある。
【０００８】
本発明は、上記の問題を解決するためになされたものであり、消費電力を抑えつつ、緊急時に機を逃す可能性を低くすることができるセンシング無線端末、センシング方法およびセンシングシステムを提供することを目的とする。
【課題を解決するための手段】
【０００９】
本発明は、少なくとも２つのセンシングモードを有するセンサ部と、前記センサ部でセンシングされた信号に対応するセンシングデータを他の端末に無線で送信するとともに、前記他の端末から送信される制御データを受信する無線通信部と、前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードではセンシングデータを他の端末に無線で送信せず、前記第１のモードから前記第２のモードへの移行の要否については、前記センサ部でセンシングされた前記センシングデータに基づいて判定するとともに、前記第２のモードではセンシングデータを他の端末に無線で送信し、前記第２のモードから前記第１のモードへの移行の要否については、前記無線通信部が受信した前記制御データに基づいて判定する制御部と、を有し、前記制御部は、前記第１のモードから前記第２のモードへ移行すると判定した場合、前記無線通信部を制御して前記他の端末との前記第２のモードによる通信動作を起動させるための信号を当該他の端末に直ちに送信することを特徴とするセンシング無線端末である。
【００１０】
また、本発明は、センサ部を有するセンシング無線端末のセンシング方法であって、相対的にセンシング間隔が長いモードを第１のモードと定義し、相対的にセンシング間隔が短いモードを第２のモードと定義するとき、前記センサ部で、第１のモード又は第２のモードでセンシングするステップと、前記センサ部でセンシングされた信号に対応するセンシングデータを他の端末に無線で送信するとともに、前記他の端末から無線で送信される制御データを無線で受信するステップと、前記第１のモードではセンシングデータを他の端末に無線で送信せず、前記第１のモードから前記第２のモードへの移行の要否については、前記センサ部でセンシングされた前記センシングデータに基づいて判定するとともに、前記第２のモードではセンシングデータを他の端末に無線で送信し、前記第２のモードから前記第１のモードへの移行の要否については、前記受信した前記制御データに基づいて判定するステップであって、前記第１のモードから前記第２のモードへ移行すると判定した場合、前記他の端末との前記第２のモードによる通信動作を起動させるための信号を当該他の端末に直ちに送信するステップと、を含むことを特徴とするセンシング無線端末のセンシング方法である。
また、本発明は、センシング無線端末と、このセンシング無線端末からセンシングデータを受信する他の端末と、を有するセンシングシステムであって、前記センシング無線端末は、少なくとも２つのセンシングモードを有するセンサ部と、前記センサ部でセンシングされた信号に対応するセンシングデータを前記他の端末に無線で送信するとともに、前記他の端末から送信される制御データを受信する第１無線通信部と、前記センサ部が有するセンシングモードのうち、２つのセンシングモードを比較したときに、相対的にセンシング間隔が長いモードを第１のモードと定義し、相対的にセンシング間隔が短いモードを第２のモードと定義するとき、前記第１のモードではセンシングデータを他の端末に無線で送信せず、前記第１のモードから前記第２のモードへの移行の要否については、前記センサ部でセンシングされた前記センシングデータに基づいて判定するとともに、前記第２のモードではセンシングデータを他の端末に無線で送信し、前記第２のモードから前記第１のモードへの移行の要否については、前記第１無線通信部が受信した前記制御データに基づいて判定する制御部と、を有し、前記制御部は、前記第１のモードから前記第２のモードへ移行すると判定した場合、前記第１無線通信部を制御して前記他の端末との前記第２のモードによる通信動作を起動させるための信号を当該他の端末に直ちに送信し、前記他の端末は、前記センシングデータを前記センシング端末から無線で受信するとともに、前記制御データを前記センシング端末に送信する第２無線通信部と、前記センシング端末から送信される前記第２のモードによる通信動作を起動させるための信号を受信する検出部とを有することを特徴とするセンシングシステムである。
【発明の効果】
【００１１】
本発明によれば、センサ部は少なくとも２つのセンシングモードを有する。また、無線通信部は、センサ部でセンシングされた信号に対応するセンシングデータを他の端末に無線で送信するとともに、他の端末から送信される制御データを受信する。また、センサ部が有するセンシングモードのうち、２つのセンシングモードを比較したときに、相対的にセンシング間隔が長いモードを第１のモードと定義し、相対的にセンシング間隔が短いモードを第２のモードと定義するとき、制御部は、第１のモードから第２のモードへの移行の要否については、センサ部でセンシングされた信号に基づいて判定するとともに、第２のモードから第１のモードへの移行の要否については、無線通信部が受信した制御データに基づいて判定する。
【００１２】
これにより、相対的にセンシング間隔が長いモードから相対的にセンシング間隔が短いモードへの切り替えは、センサ部がセンシングした信号に基づいて判定部がすることができるため、より迅速に相対的にセンシング間隔が短いモードへ切り換えることができる。また、相対的にセンシング間隔が短いモードから相対的にセンシング間隔が長いモードへの切り替えは、無線通信部が受信した制御データに基づいて判定するため、センシングした信号を解析する必要が無く、消費電力をより低減することができる。従って、消費電力を抑えつつ、緊急時に機を逃す可能性を低くすることができる。
【図面の簡単な説明】
【００１３】
【図１】本発明の一実施形態における生体データ監視システムの構成を示した概略図である。
【図２】本実施形態における植込み型医療機器の構成を示したブロック図である。
【図３】本実施形態における無線通信端末の構成を示したブロック図である。
【図４】本実施形態における無線通信端末が概略判定処理を行う際のデータの流れを示した概略図である。
【図５】本実施形態における植込み型医療機器と無線通信端末との動作手順を示したシーケンス図である。
【図６】本実施形態における植込み型医療機器の動作手順を示したフローチャートである。
【図７】本実施形態における無線通信端末の動作手順を示したフローチャートである。
【発明を実施するための形態】
【００１４】
以下、本発明の一実施形態について図を参照しながら説明する。図１は、本実施形態における生体データ監視システムの構成を示した概略図である。生体データ監視システム１は、植込み型医療機器１０（センシング無線端末）と、無線通信端末２０（他の端末）とを備える。本実施形態では、植込み型医療機器１０と無線通信端末２０とは、１対１での無線通信を行う。
【００１５】
植込み型医療機器１０は、人の体内に植込められ、各種センサを使って血圧、脈拍、心電、心拍、血中酸素濃度、体温、尿糖、血糖等の生体データや、植込み型医療機器１０が備える各部の状態を示す機器状態データを取得する。本実施形態では、生体データと、機器状態データとを詳細データ（センシングデータ）とする。
【００１６】
また、植込み型医療機器１０は、通常モード（第１のモード）と緊急モード（第２のモード）との２つのモードのうち、いずれかのモードで動作する。通常モードでは、植込み型医療機器１０は、例えば１日に１回または１２時間に１回ごとに詳細データを取得する。また、通常モードでは、植込み型医療機器１０は、無線通信端末２０に対して詳細データを送信しない。緊急モードでは、植込み型医療機器１０は、例えば５秒ごとに詳細データを取得する。また、緊急モードでは、植込み型医療機器１０は、無線通信端末２０に対して詳細データを送信する。このように、通常モードにおけるセンシング間隔は、緊急モードにおけるセンシング間隔よりも相対的に長い。
【００１７】
また、植込み型医療機器１０は、取得した詳細データに基づいて、植込み型医療機器１０の動作モードを通常モードから緊急モードに変更するか否かを判定する緊急度判定処理を行う。そして、植込み型医療機器１０は、動作モードを通常モードから緊急モードに変更すると判定した場合、動作モードを緊急モードに変更し、緊急モードに対応した処理を行う。具体的には、植込み型医療機器１０は、１０秒毎に詳細データを取得する。また、植込み型医療機器１０は、無線通信端末２０の無線インターフェース（他の端末が備える通信部）を起動させるための信号であるＲＦ  Ｗａｋｅ  ＵＰ信号を無線通信端末２０に対して送信し、その後、無線通信端末２０に対して詳細データを送信する。
【００１８】
また、植込み型医療機器１０は、無線通信端末２０から、植込み型医療機器１０の動作モードを緊急モードから通常モードに変更する指示である測定モード変更信号を受信した場合、動作モードを緊急モードから通常モードに変更し、通常モードに対応した処理を行う。具体的には、植込み型医療機器１０は、１分ごとに詳細データを取得する。また、植込み型医療機器１０は、無線通信端末２０への詳細データの送信を停止する。また、植込み型医療機器１０は、無線通信端末２０から、無線通信部の動作の停止を指示する信号であるＰｏｗｅｒ  Ｄｏｗｎ信号を受信した場合、無線通信部の動作を停止する。
【００１９】
無線通信端末２０は、植込み型医療機器１０から送信されたＲＦ  Ｗａｋｅ  ＵＰ信号を受信した場合、無線通信インターフェースを起動させ、詳細データを受信する準備を行う。また、無線通信端末２０は、無線通信インターフェースを起動後、植込み型医療機器１０から送信された詳細データを受信し、記憶部に記憶する。
【００２０】
また、無線通信端末２０は、受信した詳細データに基づいて、植込み型医療機器１０の動作モードを緊急モードから通常モードに変更するか否かを判定する概略判定処理を行う。概略判定処理の詳細については後述する。そして、無線通信端末２０は、植込み型医療機器１０の動作モードを緊急モードから通常モードに変更すると判定した場合、緊急モードから通常モードへの変更を指示する信号であるデータ測定モード変更信号を送信する。また、無線通信端末２０は、植込み型医療機器１０の動作モードを緊急モードから通常モードに変更すると判定した場合、植込み型医療機器１０に対して、植込み型医療機器１０の無線通信部の動作の停止を指示する信号であるＰｏｗｅｒ  Ｄｏｗｎ信号を送信する。
【００２１】
次に、植込み型医療機器１０の構成について説明する。図２は、本実施形態における植込み型医療機器１０の構成を示したブロック図である。図示する例では、植込み型医療機器１０は、センサ部１１と、緊急度判定部１２と、制御部１３と、無線通信部１４と、アンテナ１５と、Ｐｏｗｅｒ  Ｄｏｗｎ検出部１６とを備える。
【００２２】
センサ部１１は、血圧、脈拍、心電、心拍、血中酸素濃度、体温、尿糖、血糖等をセンシングして生体データを取得し、緊急度判定部１２に対して出力する。また、センサ部１１は、植込み型医療機器１０が備える各部の状態をセンシングして機器状態データを取得し、緊急度判定部１２に対して出力する。なお、センサ部１１は、複数のセンシングモードを有し、植込み型医療機器１０の動作モードに応じて、センシング間隔が異なる。具体的には、植込み型医療機器１０の動作モードが通常モードである場合、センサ部１１は、１分ごとに詳細データを取得する。また、植込み型医療機器１０の動作モードが緊急モードである場合、１０秒毎に詳細データを取得する。
【００２３】
緊急度判定部１２は、センサ部１１から入力された詳細データに基づいて、イベント（生体データの異常や、機器状態データの異常）が発生した場合、イベントを検出する。また、緊急度判定部１２は、イベントを検出した場合、植込み型医療機器１０の動作モードを、通常モードから緊急モードに切り換えるか否かを判定する。例えば、緊急度判定部１２は、検出したイベントが軽度の異常であれば緊急モードに切り換えないと判定し、検出したイベントが重度の異常であれば緊急モードに切り換えると判定する。また、緊急度判定部１２は、植込み型医療機器１０が緊急モードで動作している場合、センサ部１１から入力された詳細データを、無線通信部１４に対して出力する。
【００２４】
制御部１３は、動作モードに応じた動作を行うように、植込み型医療機器１０が備える各部の制御を行う。具体的には、制御部１３は、緊急度判定部１２が動作モードを緊急モードに切り換えると判定した場合、植込み型医療機器１０の動作モードを緊急モードに切り換え、無線通信部１４を起動させる。その後、制御部１３は、無線通信部１４を制御し、ＲＦ  Ｗａｋｅ  ＵＰ信号を無線通信端末２０に対して送信する。また、制御部１３は、無線通信端末２０から測定モード変更信号を受信した場合、植込み型医療機器１０の動作モードを緊急モードから通常モードに変更する。また、制御部１３は、Ｐｏｗｅｒ  Ｄｏｗｎ検出部１６からＰｏｗｅｒ  Ｄｏｗｎ信号を入力された場合、無線通信部１４の動作を停止させる。
【００２５】
無線通信部１４は、植込み型医療機器１０が緊急モードで動作している場合、アンテナ１５を介して、緊急度判定部１２から入力された詳細データを無線通信端末２０に対して無線送信する。また、無線通信部１４は、アンテナ１５を介して、植込み型医療機器１０の動作モードを緊急モードから通常モードに変更する指示である測定モード変更信号（制御データ）を無線通信端末２０から受信する。Ｐｏｗｅｒ  Ｄｏｗｎ検出部１６は、無線通信端末２０から送信されるＰｏｗｅｒ  Ｄｏｗｎ信号を受信（検出）する。また、Ｐｏｗｅｒ  Ｄｏｗｎ検出部１６は、Ｐｏｗｅｒ  Ｄｏｗｎ信号を受信した場合、受信したＰｏｗｅｒ  Ｄｏｗｎ信号を制御部１３に対して出力する。
【００２６】
なお、請求項に係る制御部は、例えば、緊急度判定部１２および制御部１３に対応する。
【００２７】
次に、無線通信端末２０の構成について説明する。図３は、本実施形態における無線通信端末２０の構成を示したブロック図である。図示する例では、無線通信端末２０は、アンテナ２１と、ＲＦ  Ｗａｋｅ  ＵＰ検出部２２と、制御部２３と、無線インターフェース２４と、記憶部２５と、表示部２６と、音出力部２７とを備える。
【００２８】
ＲＦ  Ｗａｋｅ  ＵＰ検出部２２は、アンテナ２１を介して、植込み型医療機器１０から送信されるＲＦ  Ｗａｋｅ  ＵＰ信号を受信する。また、ＲＦ  Ｗａｋｅ  ＵＰ検出部２２は、ＲＦ  Ｗａｋｅ  ＵＰ信号を受信した場合、受信したＲＦ  Ｗａｋｅ  ＵＰ信号を制御部２３に対して出力する。
【００２９】
制御部２３は、無線通信端末２０が備える各部の制御を行う。また、制御部２３は、ＲＦ  Ｗａｋｅ  ＵＰ検出部２２からＲＦ  Ｗａｋｅ  ＵＰ信号を入力された場合、無線インターフェース２４を起動させる。また、制御部２３は、無線インターフェース２４から入力された詳細データに基づいて、植込み型医療機器１０の動作モードを緊急モードから通常モードに変更するか否かを判定する概略判定処理を行う。そして、無線通信端末２０は、植込み型医療機器１０の動作モードを緊急モードから通常モードに変更すると判定した場合、無線インターフェース２４を制御し、緊急モードから通常モードへの変更を指示する信号であるデータ測定モード変更信号を植込み型医療機器１０に対して送信する。
【００３０】
また、無線通信端末２０は、植込み型医療機器１０の動作モードを緊急モードから通常モードに変更すると判定した場合、無線インターフェース２４を制御し、植込み型医療機器１０の無線通信部１４の動作の停止を指示する信号であるＰｏｗｅｒ  Ｄｏｗｎ信号を植込み型医療機器１０に対して送信する。
【００３１】
また、制御部２３は、詳細データに基づいた内容を表示部２６に表示させ、詳細データに基づいた音を音出力部２７に出力させる。例えば、制御部２３は、取得した詳細データが緊急度の高いデータである場合、記憶部２５に予め記録されている表示データ（例えば、助けてほしいことを示す警告情報や、緊急情報や、患者の状態や、患者の容態や、緊急連絡先（自宅の連絡先または病院の連絡先）など）や、詳細データに基づいた心電図などを表示部２６に表示させ、記憶部２５に予め記憶されている音データ（例えば、助けを求める音声信号や警報音など）を周期的に分割して音出力部２７に出力させる。
【００３２】
無線インターフェース２４は、制御部２３によって起動されると、アンテナ２１を介して、植込み型医療機器１０から送信された詳細データを受信し、受信した詳細データを制御部２３に対して出力する。また、無線インターフェース２４は、制御部２３の制御に従って、データ測定モード変更信号およびＰｏｗｅｒ  Ｄｏｗｎ信号を植込み型医療機器１０に対して送信する。
【００３３】
記憶部２５は、植込み型医療機器１０から送信された詳細データを記憶する。また、記憶部２５は、表示データや音データを記憶する。表示部２６は、液晶ディスプレイ（ＬＣＤ、Ｌｉｑｕｉｄ  Ｃｒｙｓｔａｌ  Ｄｉｓｐｌａｙ）などの表示装置であり、制御部２３の制御に基づいて、詳細データに対応する内容を表示する。音出力部２７は、スピーカーなどであり、制御部２３の制御に基づいて、詳細データに対応する音を出力する。
【００３４】
次に、概略判定処理について説明する。図４は、本実施形態における無線通信端末２０の制御部２３が概略判定処理を行う際のデータの流れを示した概略図である。なお、概略判定処理は、植込み型医療機器１０から送信される詳細データに基づいて、植込み型医療機器１０の動作モードを緊急モードから通常モードに変更するか否かを判定する処理である。緊急モードから通常モードに変更する条件としては、詳細データに異常なデータが含まれない場合（異常を検出しない場合）である。従って、制御部２３は、詳細データを解析し、詳細データの異常を検出した場合には緊急モードから通常モードに変更しないと判定し、詳細データの異常を検出しない場合には緊急モードから通常モードに変更すると判定する。
【００３５】
以下、詳細データが心筋活動電位である場合を例として、無線通信端末２０の制御部２３が、詳細データを解析し、詳細データの異常を検出する方法について説明する。図示するように、植込み型医療機器１０のセンサ部１１は、アナログ信号として取得した心筋活動電位をＡＤ変換し、デジタル信号の心筋活動電位を所定の時間分纏めた生体情報データブロックを生成する。そして、植込み型医療機器１０の無線通信部１４は、生体情報データブロックを無線通信端末２０に対して送信する。無線通信端末２０の無線インターフェース２４は、植込み型医療機器１０から送信された生体情報データブロックを受信し、制御部２３に対して出力する。また、制御部２３は、無線インターフェース２４から入力された生体データブロックに基づいて、異常の検出を行う。
【００３６】
異常の検出方法としては、例えば特開２００９−２４７８１２に示されているように、異常な心筋活動電位が発生したときに迅速な対応が可能なように、時間軸に関して隣り合う心筋活動電位の波形のズレが所定の範囲を超えて２サイクル以上連続して発生すると、異常を検出するという方法がある。なお、この方法は、入力された心筋活動電位を１サイクル毎に同一の基点に合わせるサイクル基点同一化アルゴリズムと、時間軸に関して連続する少なくとも２サイクル以上の心筋活動電位の波形を同時に重なり表示する重なり表示アルゴリズムを含んでいるので、波形の変化の把握が容易である。また、心筋活動電位の波長が所定の範囲を超えて変わった場合に、変化した後の心筋活動電位の波長が変化する前の心筋活動電位の波長と同じ波長になるように調整する、波長調整アルゴリズムを含んでいるので、波長の変化による心筋活動電位の波形のズレを異常な波形と見誤ることが無くなる。
【００３７】
また、制御部２３は、概略判定処理を行った際に、時間軸に関して隣り合う心筋活動電位の波形のズレが所定の範囲を超えて２サイクル以上連続して発生したときに警報を発するように音出力部２７を制御することにより、体動などによるアーキテクト（通常２サイクル以上連続して同じような波形が発生することがない）の発生による誤警報を無くし、異常な波形が発生したときにのみ警報を発することができる。また、このように警報を発した場合、ユーザーは心筋活動電位の異常に対して迅速に対応することが可能であり、その異常がどの様な心血管機能の異常に起因するものかを素早く判断することができる。
【００３８】
次に、本実施形態における植込み型医療機器１０と無線通信端末２０との動作手順について説明する。図５は、本実施形態における植込み型医療機器１０と無線通信端末２０との動作手順を示したシーケンス図である。
【００３９】
（ステップＳ１０１）植込み型医療機器１０のセンサ部１１は、詳細データ取得し、取得した詳細データを緊急度判定部１２に対して出力する。緊急度判定部１２は、センサ部１１から入力された詳細データに基づいてイベントを検出する。
（ステップＳ１０２）緊急度判定部１２は、イベントを検出した場合、植込み型医療機器１０の動作モードを、通常モードから緊急モードに切り換えるか否かを判定する。そして、緊急度判定部１２が、動作モードを緊急モードに切り換えると判定した場合、制御部１３は、植込み型医療機器１０の動作モードを緊急モードに切り換え、無線通信部１４を起動させる。その後、制御部１３は、無線通信部１４を制御し、ＲＦ  Ｗａｋｅ  ＵＰ信号を無線通信端末２０に対して送信する。
【００４０】
（ステップＳ１０３）無線通信端末２０のＲＦ  Ｗａｋｅ  ＵＰ検出部２２は、植込み型医療機器１０から送信されたＲＦ  Ｗａｋｅ  ＵＰ信号を、アンテナ２１を介して受信し、受信したＲＦ  Ｗａｋｅ  ＵＰ信号を制御部２３に対して出力する。制御部２３は、ＲＦ  Ｗａｋｅ  ＵＰ検出部２２からＲＦ  Ｗａｋｅ  ＵＰ信号を入力された場合、無線インターフェース２４を起動させる。
（ステップＳ１０４）無線通信端末２０の制御部２３は、無線インターフェース２４を制御し、植込み型医療機器１０に対してセンシング詳細データ要求信号を送信する。
【００４１】
（ステップＳ１０５）植込み型医療機器１０の無線通信部１４は、無線通信端末２０から送信されたセンシング詳細データ要求信号を受信する。
（ステップＳ１０６）植込み型医療機器１０の制御部１３は、無線通信部１４がセンシング詳細データ要求信号を受信した場合、無線通信部１４を制御し、無線通信端末２０に対してセンサ部１１が検出した詳細データを送信する。
【００４２】
（ステップＳ１０７）無線通信端末２０の無線インターフェース２４は、植込み型医療機器１０から送信された詳細データを受信する。また、無線通信端末２０の制御部２３は、無線インターフェース２４が受信した詳細データに基づいて概略判定を行い、植込み型医療機器１０の動作モードを緊急モードから通常モードに変更するか否かを判定する。また、無線通信端末２０の制御部２３は、概略判定の判定結果を表示部２６に表示させる。
（ステップＳ１０８）無線通信端末２０の制御部２３は、無線インターフェース２４を制御し、植込み型医療機器１０に対してデータ測定モード確認要求メッセージを送信する。
【００４３】
（ステップＳ１０９）植込み型医療機器１０の無線通信部１４は、無線通信端末２０から送信されたデータ測定モード確認要求メッセージを受信する。
（ステップＳ１１０）植込み型医療機器１０の制御部１３は、無線通信部１４を制御し、無線通信端末２０に対して現在の動作モードを示すデータ測定モード信号を送信する。
【００４４】
（ステップＳ１１１）無線通信端末２０の無線インターフェース２４は、植込み型医療機器１０から送信されたデータ測定モード信号を受信する。
（ステップＳ１１２）無線通信端末２０の制御部２３は、ステップＳ１１１で受信したデータ測定モード信号で特定される動作モードが緊急モードであり、ステップＳ１０７の処理で植込み型医療機器１０の動作モードを緊急モードから通常モードに変更すると判定した場合、植込み型医療機器１０の動作モードを緊急モードから通常モードへの変更を指示する信号であるデータ測定モード変更信号を、植込み型医療機器１０に対して送信する。
【００４５】
（ステップＳ１１３）植込み型医療機器１０の無線通信部１４は、無線通信端末２０から送信されたデータ測定モード変更信号を受信する。
（ステップＳ１１４）植込み型医療機器１０の制御部１３は、無線通信部１４がデータ測定モード変更信号を受信した場合、動作モードを緊急モードから通常モードに変更し、通常モードに対応した処理を行う。また、制御部１３は、無線通信部１４を制御し、動作モードを通常モードに変更したことを示す信号である測定モード変更確認信号を、無線通信端末２０に対して送信する。
【００４６】
（ステップＳ１１５）無線通信端末２０の無線インターフェース２４は、植込み型医療機器１０から送信された測定モード変更確認信号を受信する。
（ステップＳ１１６）無線通信端末２０の制御部２３は、植込み型医療機器１０の動作モードは通常モードに変更されたため、無線インターフェース２４を制御し、植込み型医療機器１０に対してＰｏｗｅｒ  Ｄｏｗｎ信号を送信する。
【００４７】
（ステップＳ１１７）植込み型医療機器１０のＰｏｗｅｒ  Ｄｏｗｎ検出部１６は、無線通信端末２０から送信されたＰｏｗｅｒ  Ｄｏｗｎ信号を受信し、受信したＰｏｗｅｒ  Ｄｏｗｎ信号を制御部１３に対して出力する。植込み型医療機器１０の制御部１３は、Ｐｏｗｅｒ  Ｄｏｗｎ信号を入力された場合、無線通信部１４の動作を停止させる。
【００４８】
次に、植込み型医療機器１０の動作手順について説明する。図６は、本実施形態における植込み型医療機器１０の動作手順を示したフローチャートである。
【００４９】
（ステップＳ２０１）センサ部１１は、詳細データを取得し、取得した詳細データを緊急度判定部１２に対して出力する。緊急度判定部１２は、センサ部１１から入力された詳細データに基づいてイベントを検出する。また、緊急度判定部１２は、イベントを検出した場合、植込み型医療機器１０の動作モードを、通常モードから緊急モードに切り換えるか否かを判定する。そして、緊急度判定部１２が、動作モードを緊急モードに切り換えると判定した場合、制御部１３は、植込み型医療機器１０の動作モードを緊急モードに切り換え、無線通信部１４を起動させる。その後、ステップＳ２０２の処理に進む。
（ステップＳ２０２）制御部１３は、無線通信部１４を制御し、ＲＦ  Ｗａｋｅ  ＵＰ信号を無線通信端末２０に対して送信する。その後、ステップＳ２０３の処理に進む。
【００５０】
（ステップＳ２０３）制御部１３は、無線通信部１４がセンシング詳細データ要求信号を受信した場合、無線通信部１４を制御し、無線通信端末２０に対してセンサ部１１が検出した詳細データを送信する。その後、ステップＳ２０４の処理に進む。
（ステップＳ２０４）制御部１３は、無線通信部１４がデータ測定モード確認要求メッセージを受信した場合、無線通信部１４を制御し、無線通信端末２０に対して現在のデータ測定モード状態を示すデータ測定モード信号を送信する。その後、ステップＳ２０５の処理に進む。
【００５１】
（ステップＳ２０５）制御部１３は、無線通信部１４がデータ測定モード変更信号を受信した場合、動作モードを緊急モードから通常モードに変更し、通常モードに対応した処理を行う。また、制御部１３は、無線通信部１４を制御し、動作モードを通常モードに変更したことを示す信号である測定モード変更確認信号を、無線通信端末２０に対して送信する。その後、ステップＳ２０６の処理に進む。
（ステップＳ２０６）制御部１３は、Ｐｏｗｅｒ  Ｄｏｗｎ検出部１６がＰｏｗｅｒ  Ｄｏｗｎ信号を受信した場合、無線通信部１４の動作を停止させる。その後、処理を終了する。
【００５２】
次に、無線通信端末２０の動作手順について説明する。図７は、本実施形態における無線通信端末２０の動作手順を示したフローチャートである。
【００５３】
（ステップＳ３０１）制御部２３は、ＲＦ  Ｗａｋｅ  ＵＰ検出部２２がＲＦ  Ｗａｋｅ  ＵＰ信号を受信した場合、無線インターフェース２４を起動させる。その後、ステップＳ３０２の処理に進む。
（ステップＳ３０２）制御部２３は、無線インターフェース２４を制御し、植込み型医療機器１０に対してセンシング詳細データ要求信号を送信する。その後、ステップＳ３０３の処理に進む。
【００５４】
（ステップＳ３０３）制御部２３は、無線インターフェース２４が詳細データを受信した場合、詳細データに基づいて概略判定を行い、植込み型医療機器１０の動作モードを緊急モードから通常モードに変更するか否かを判定する。また、制御部２３は、概略判定の判定結果を表示部２６に表示させる。その後、ステップＳ３０４の処理に進む。
（ステップＳ３０４）制御部２３は、無線インターフェース２４を制御し、植込み型医療機器１０に対してデータ測定モード確認要求メッセージを送信する。その後、ステップＳ３０５の処理に進む。
【００５５】
（ステップＳ３０５）制御部２３は、無線インターフェース２４がデータ測定モード信号を受信した場合、受信したデータ測定モード信号で特定される動作モードが緊急モードであり、ステップＳ３０３の処理で植込み型医療機器１０の動作モードを緊急モードから通常モードに変更すると判定した場合、植込み型医療機器１０の動作モードを緊急モードから通常モードへの変更を指示する信号であるデータ測定モード変更信号を、植込み型医療機器１０に対して送信する。その後、ステップＳ３０６の処理に進む。
【００５６】
（ステップＳ３０６）制御部２３は、無線インターフェース２４が測定モード変更確認信号を受信した場合、無線インターフェース２４を制御し、植込み型医療機器１０に対してＰｏｗｅｒ  Ｄｏｗｎ信号を送信する。その後、処理を終了する。
【００５７】
上述したとおり、本実施形態によれば、植込み型医療機器１０は、データの取得間隔が長い通常モードと、データの取得間隔が短い緊急モードとの２つのモードとのいずれかのモードで動作する。通常モードから緊急モードへの切り替えの判定は、植込み型医療機器１０が行う。これにより、例えば、植込み型医療機器１０が緊急度の高いイベントを検出した場合、植込み型医療機器１０が通常モードから緊急モードへの切り替えの判定を行うため、無線通信端末２０が通常モードから緊急モードへの切り替えの判定を行う場合と比較し、より迅速に緊急モードに切り換えることができる。
【００５８】
また、本実施形態によれば、植込み型医療機器１０の動作モードを緊急モードから通常モードへ切り換える判定は、無線通信端末２０が行う。これにより、植込み型医療機器１０は、緊急モードから通常モードへの切り替えの判定を行う必要が無いため、植込み型医療機器１０が備える電池の消耗をより低減することができる。
【００５９】
また、本実施形態によれば、無線通信端末２０は、植込み型医療機器１０の動作モードを緊急モードから通常モードに切り換えると判定した場合、植込み型医療機器１０に対してＰｏｗｅｒ  Ｄｏｗｎ信号を送信する。また、植込み型医療機器１０は、Ｐｏｗｅｒ  Ｄｏｗｎ信号を受信した場合、無線通信部１４の動作を停止させる。これにより、植込み型医療機器１０は、詳細データを無線通信端末２０に対して送信しない場合には、無線通信部１４を停止させることができるため、植込み型医療機器１０が備える電池の消耗をさらに低減させることができる。
【００６０】
以上、この発明の一実施形態について図面を参照して詳述してきたが、具体的な構成はこの実施形態に限られるものではなく、この発明の要旨を逸脱しない範囲の設計等も含まれる。例えば、上述した実施形態では植込み型医療機器１０と無線端末装置２０とは１対１との関係で無線通信を行っているがこれに限らない。例えば、植込み型医療機器１０と無線端末装置２０とは、多対多の関係で無線通信を行うようにしてもよい。
【符号の説明】
【００６１】
１・・・生体データ監視システム、１０・・・植込み型医療機器、１１・・・センサ部、１２・・・緊急度判定部、１３，２３・・・制御部、１４・・・無線通信部、１５，２１・・・アンテナ、１６・・・Ｐｏｗｅｒ  Ｄｏｗｎ検出部、２０・・・無線通信端末、２２・・・ＲＦ  Ｗａｋｅ  ＵＰ検出部、２４・・・無線インターフェース、２５・・・記憶部、２６・・表示部、２７・・・音出力部
【図１】
0005965591.tif 000002
【図２】
0005965591.tif 000003
【図３】
0005965591.tif 000004
【図４】
0005965591.tif 000005
【図５】
0005965591.tif 000006
【図６】
0005965591.tif 000007
【図７】
0005965591.tif 000008